(57)【特許請求の範囲】
【請求項１】
液体を吸収する液吸収性パッドであって、
液透過性のトップシートと、液不透過性のバックシートと、前記トップシートと前記バックシートとの間に介在する吸収体とを有するパッド本体部と、
前記パッド本体部の一方の側部に設けられ、前記パッド本体部の幅よりも長い第１ウイング部と、
を備え、
前記第１ウイング部は、前記パッド本体部の他方の側部に接合する接合部を有し、かつ、複数の液透過性のシートを有し、当該複数の液透過性のシート間に、液体を補助的に吸収する補助吸収体が収納される収納構造を有する液吸収性パッド。
【請求項２】
請求項１に記載の液吸収性パッドにおいて、
前記第１ウイング部の表面に、前記収納構造に対して前記補助吸収体の出し入れを可能とする開口部が形成されている液吸収性パッド。
【請求項３】
請求項２に記載の液吸収性パッドにおいて、
前記開口部が、前記第１ウイング部の表面のうち、前記パッド本体部の前記トップシートと同一側の面に形成されている液吸収性パッド。
【請求項４】
請求項１から３までのいずれか１項に記載の液吸収性パッドにおいて、
前記他方の側部の表面のうち、前記第１ウイング部の前記接合部に接合する止着材を含む面ファスナが設けられている液吸収性パッド。
【請求項５】
請求項４に記載の液吸収性パッドにおいて、
前記パッド本体部の前記他方の側部には、外側に向かって延びる第２ウイング部が形成されており、
前記面ファスナが、前記第２ウイング部に設けられている液吸収性パッド。
【請求項６】
請求項１から５までのいずれか１項に記載の液吸収性パッドにおいて、
前記第１ウイング部の付け根部分に、前記第１ウイング部を折り曲げ可能とする折り目が設けられている液吸収性パッド。
【請求項７】
請求項６に記載の液吸収性パッドにおいて、
前記折り目に沿って、前記第１ウイング部が前記バックシート側へ折り曲げ可能とされている液吸収性パッド。
【発明の詳細な説明】
【技術分野】
【０００１】
この発明は、液吸収性パッドに関し、特に、外装体にしっかりと固定するための技術に関する。
【背景技術】
【０００２】
従来より、パンツ等の外装体の股部分に装着され、尿等を吸収する液吸収性パッドが知られている。このような液吸収性パッドは、裏面に外装体に対して接着性を有する止着部材が設けられており、この止着部材を介して外装体の股部に装着されて使用される。
【０００３】
また本願発明に関連する先行技術として、例えば特許文献１に記載のものがある。具体的に、特許文献１に記載された液吸収性パッドは、パッド本体部の両側部から側方に向かって延びるウイングが、外装体の股部に折り返されて股部に接着するものである。これにより、液吸収性パッドのパッド本体部が外装体の股部に固定される。
【先行技術文献】
【特許文献】
【０００４】
【特許文献１】特開平０９−９４２６７号公報
【発明の概要】
【発明が解決しようとする課題】
【０００５】
ところが、上記特許文献１の液吸収性パッドの場合、着用者の動作（寝返りや歩行等）によって、外装体の股部に対するウイングの接着力が弱まり、パッド本体部がずれたりして外装体から外れるおそれがある。そのため、吸収しきれなかった尿等の体液が、液吸収性パッドから漏れるおそれがある。
【０００６】
本発明は、上記課題に鑑みなされたものであり、液吸収性パッドを外装体にしっかりと固定することが可能な技術を提供することを目的としている。
【課題を解決するための手段】
【０００７】
上記の課題を解決するため、第１の態様は、液体を吸収する液吸収性パッドであって、液透過性のトップシートと、液不透過性のバックシートと、前記トップシートと前記バックシートとの間に介在する吸収体とを有するパッド本体部と、前記パッド本体部の一方の側部に設けられ、前記パッド本体部の幅よりも長い第１ウイング部とを備え、前記第１ウイング部は、前記パッド本体部の他方の側部に接合する接合部を有し、かつ、複数の液透過性のシートを有し、当該複数の液透過性のシート間に、液体を補助的に吸収する補助吸収体が収納される収納構造を有している。
【０００９】
また、第２の態様は、第１の態様に係る液吸収性パッドにおいて、前記第１ウイング部の表面に、前記収納構造に対して前記補助吸収体の出し入れを可能とする開口部が形成されている。
【００１０】
また、第３の態様は、第２の態様に係る液吸収性パッドにおいて、前記開口部が、前記第１ウイング部の表面のうち、前記パッド本体部の前記トップシートと同一側の面に形成されている。
【００１１】
また、第４の態様は、第１から第３の態様までのいずれか１態様に係る液吸収性パッドにおいて、前記他方の側部の表面のうち、前記第１ウイング部の前記接合部に接合する止着材を含む面ファスナが設けられている。
【００１２】
また、第５の態様は、第４の態様に係る液吸収性パッドにおいて、前記パッド本体部の前記他方の側部には、外側に向かって延びる第２ウイング部が形成されており、前記面ファスナが、前記第２ウイング部に設けられている。
【００１３】
また、第６の態様は、第１から第５の態様までのいずれか１態様に係る液吸収性パッドにおいて、前記第１ウイング部の付け根部分に、前記第１ウイング部を折り曲げ可能とする折り目が設けられている。
【００１４】
また、第７の態様は、第６の態様に係る液吸収性パッドにおいて、前記折り目に沿って、前記第１ウイング部が前記バックシート側へ折り曲げ可能とされている。
【発明の効果】
【００１５】
本発明の第１から第７までの態様に係る液吸収性パッドによれば、第１ウイング部とパッド本体部との間に外装体の股部を挟んだ状態で、第１ウイング部をパッド本体部に接合させることが可能となり、液吸収性パッドを外装体にしっかりと固定できるという優れた効果を奏し得る。
【００１６】
また、第１から第７までの態様に係る液吸収性パッドによれば、第１ウイング部の内部に補助吸収体を収納することができるため、第１ウイング部を補助的に液吸収物品として使用することができるという優れた効果を奏し得る。
【００１７】
特に、第２の態様に係る液吸収性パッドによれば、第１ウイング部で液体を補助的に吸収する場合には、開口部を介して補助吸収体を収納することができ、第１ウイング部でパッド本体部を外装体の股部にしっかりと固定する場合には、開口部を介して補助吸収体を抜き取ることができる。このように、開口部を設けることによって、第１ウイング部の使用用途に応じて、補助吸収体を第１ウイング部から出し入れすることが可能となる。
【００１８】
特に、第３の態様に係る液吸収性パッドによれば、第１ウイング部をパッド本体部のトップシート側に折り返した際に、開口部が第１ウイング部とパッド本体部との間に配置されるため、開口部から補助吸収体が脱落することを抑制することができるという優れた効果を奏し得る。
【００１９】
特に、第４の態様に係る液吸収性パッドによれば、安価かつ容易に第１ウイング部を側部に係合させることができる。また、接合部の接合と剥離とを繰り返し行うことができるという優れた効果を奏し得る。
【００２０】
特に、第５の態様に係る液吸収性パッドによれば、第２ウイング部を介して、第１ウイング部とパッド本体部とを容易に接合させることができるという効果を奏し得る。
【００２１】
特に、第６の態様に係る液吸収性パッドによれば、折り目に沿って、第１ウイング部を自在に折り曲げることができ、第１ウイングをパッド本体部に容易に接合させることができるという優れた効果を奏し得る。
【００２２】
特に、第７の態様に係る液吸収性パッドによれば、第１ウイング部をバックシート側へ容易に折り曲げることが可能となり、第１ウイング部とパッド本体部との間に、外装体の股部を挟みやすくなるという優れた効果を奏し得る。
【図面の簡単な説明】
【００２３】
【図１】第１実施形態に係る液吸収性パッドを示す全体斜視図である。
【図２】図１に示すＩＩ−ＩＩ位置から見た液吸収性パッドの概略断面図である。
【図３】外装体に装着された液吸収性パッドを示す斜視図である。
【図４】図３に示すＩＶ−ＩＶ位置から見た液吸収性パッド及び外装体の概略断面図である。
【図５】第１ウイング部に補助吸収体が収納された液吸収性パッドを示す斜視図である。
【図６】外装体に装着された液吸収性パッドを示す全体斜視図である。
【図７】図６に示すＶＩＩ−ＶＩＩ位置から見た液吸収性パッド及び外装体の概略断面図である。
【図８】第２実施形態に係る液吸収性パッドを示す全体斜視図である。
【図９】外装体に装着された液吸収性パッドを示す概略断面図である。
【図１０】外装体に装着された液吸収性パッドを示す概略断面図である。
【発明を実施するための形態】
【００２４】
以下、図面を参照して実施形態を詳細に説明する。ただし、この実施形態に記載されている構成はあくまでも例示であって、本発明の範囲をそれらのみに限定する趣旨のものではない。
【００２５】
｛第１実施形態｝
図１は、第１実施形態に係る液吸収性パッド１００を示す全体斜視図である。図２は、図１に示すＩＩ−ＩＩ位置から見た液吸収性パッド１００の概略断面図である。液吸収性パッド１００は、外装体９（例えば、パンツ等の下着類やおむつ等）の股部９１に取り付けられるパッドである（図３参照）。液吸収性パッド１００は、外装体９の内側において、股部９１の前後方向に沿って配置されるパッド本体部１０と、パッド本体部１０の側部からその外側へ延びる第１ウイング部２０とを有している。
【００２６】
｛パッド本体部１０｝
図１に示すように、パッド本体部１０は、平板状に形成されており、略平行に延びている両側の側辺を有している。この側辺の延びる方向は、パット本体部１０の長手方向となっており、外装体９に装着される際に、この長手方向が、股部９１の前後方向に一致するように構成されている。なお、以下の説明においては、パッド本体部１０の長手方向を液吸収性パッド１００の長手方向とし、この長手方向に直交する方向を液吸収性パッド１００の幅方向として説明する。
【００２７】
パッド本体部１０の裏側（バックシート１２側）には、長手方向に沿って延びる一対の止着部１０１，１０１がホットメルト等の接着剤を介して取り付けられている。止着部１０１，１０１の表面には、接着性を有する糊が付着されており、これら止着部１０１，１０１が外装体９の股部９１の内側に貼り付けられることで、パッド本体部１０が外装体９に固定される。なお、止着部１０１，１０１の糊付着面には、液吸収性パッドが使用される際に剥がされる保護シート（図示せず。）が貼付される。この保護シートによって、止着部１０１，１０１の接着力が保護される。
【００２８】
パッド本体部１０は、常温常圧下において液透過性を有するトップシート１１と、常温常圧下において液不透過性を有するバックシート１２とが、互いにホットメルト等の接着剤を介して接着された積層体として構成されている。
【００２９】
トップシート１１は、例えば、疎水性繊維（ポリプロピレン、ポリエチレン、ポリエステル、ポリアミド、ナイロン等）の表面を界面活性剤により処理して液透過性とした不織布により構成される。なお、トップシート１１は、親水性繊維（セルロース、レーヨン、コットン等）を用いた不織布により構成されていてもよい。
【００３０】
バックシート１２は、例えば、プラスチックフィルムにより構成されている。なお、プラスチックフィルムとその外側に貼着された柔軟性の高い不織布とにより構成されていてもよい。また、バックシート１２は、疎水性繊維（ポリプロピレン、ポリエチレン、ポリエステル、ポリアミド、ナイロン等）を用いた撥水性の不織布により構成されていてもよい。
【００３１】
パッド本体部１０は、トップシート１１とバックシート１２との間に、略矩形状の吸収体１３が収納されている。吸収体１３は、パッド本体部１０を構成するトップシート１１及びバックシート１２の幅方向の長さよりも短くなっている。吸収体１３は、ポリアクリル酸ナトリウムを顆粒状にした高分子吸収体（SAP：Superabsorbent Polymer）を透液性の補助シートに被覆した構造を有している。排泄された尿や下り物、経血等の体液は、トップシート１１を浸透して吸収体１３に到達し、高分子吸収体によって吸収される。
【００３２】
なお、吸収体１３は、粉砕したパルプ繊維やセルロース繊維等の親水性繊維の集合層に、高分子吸収体を混合した塊を、ティッシュペーパー等の紙シートまたは透液性の不織布シートに貼り付けたものによって構成されていてもよい。ただし、吸収体１３の嵩張りを抑制するためには、吸収体１３を、パルプ非存在の高分子吸収体により構成することが望ましい。
【００３３】
｛第１ウイング部２０｝
第１ウイング部２０は、トップシート１１と同様に液透過性を有する複数のシート２１，２２を、それぞれの周縁部分をホットメルト等の接着剤で接着した積層体として構成されている。パッド本体部１０と第１ウイング部２０とは、ホットメルト等の接着剤を介して、互いの側端部分同士が結合されている。シート２１は、パッド本体部１０のトップシート１１と同一側の面（表面）を形成しており、シート２２は、パッド本体部１０のバックシート１２と同一側の面（裏面）を形成している。
【００３４】
第１ウイング部２０のパッド本体部１０との結合する端部とは反対側の端部には、ホットメルト等の接着剤を介してシート２１の表面に取り付けられた雄部材２０１（接合部）が設けられている。雄部材２０１は、具体的には、その表面に多数の鉤状のフック材が立設された構造を有している。
【００３５】
また、パッド本体部１０の他方側（第１ウイング部２０の反対側）の側端部には、ホットメルト等の接着剤を介してバックシート１２の表面に取り付けられた雌部材２０２（被接合部）が設けられている。雌部材２０２は、具体的には、その表面に多数のループ材を有しており、このループ材と雄部材２０１のフック材とが係合することによって、雄部材２０１が雌部材２０２に接合する。また、第１ウイング部の端部を引っ張ることで、接合された雄部材２０１を雌部材２０２から引き剥がすことができる。このように、雄部材２０１及び雌部材２０２のそれぞれは、互いに接合する止着材を含んだ面ファスナを構成している。パッド本体部１０と第１ウイング部２０とを接合する部分を面ファスナで構成することによって、接合力の低減を抑制しつつ雄部材２０１及び雌部材２０２の係合及び剥離を繰り返すことができるとともに、液吸収性パッド１００を安価に構成することができる。また、バックシート１２に雌部材２０２が設けられることによって、ループ材等の止着材が肌に直接触れることを低減することができる。
【００３６】
なお、雄部材２０１と雌部材２０２とは、その位置を置換することが可能である。すなわち、雄部材２０１を雌部材２０２に置換し、雌部材２０２を雄部材２０１に置換してもよい。また、雄部材２０１及び雌部材２０２のそれぞれを、フック材及びループ材の双方を含む面ファスナで構成してもよい。また、バックシート１２の外側表面を不織布とした場合には、雄部材２０１をバックシート１２の任意の位置に係止させることが可能であり、雌部材２０２を省略することも可能である。このように雌部材２０２を省略する場合、バックシート１２の部分が被接合部として機能することとなる。
【００３７】
パッド本体部１０と第１ウイング部２０とは、ホットメルト等の接着剤を介して互いに結合されている。なお、パッド本体部１０と第１ウイング部２０とは、このようなものに限られるものではなく、例えばヒートシール等の他の方法によって連結されていてもよい。このパッド本体部１０に結合する第１ウイング部２０の付け根部分に、長手方向に沿って延びる折り目Ｌ１が設定される。
【００３８】
液吸収性パッド１００は、折り目Ｌ１に沿って、第１ウイング部２０をパッド本体部１０のトップシート１１側及びバックシート１２側に容易に折り曲げることができるように構成されている。第１ウイング部２０は、バックシート１２側に巻回されて使用される場合、パッド本体部１０を外装体９に固定する固定手段として機能する。また、第１ウイング部２０は、トップシート１１側に巻回されて使用される場合、排泄された体液を補助的に吸収する吸収手段として機能する。以下において、これらの第１ウイング部２０の機能を詳細に説明する。
【００３９】
図３は、外装体９に装着された液吸収性パッド１００を示す斜視図である。また、図４は、図３に示すＩＶ−ＩＶ位置から見た液吸収性パッド１００及び外装体９の概略断面図である。なお、図３では、液吸収性パッド１００が装着された外装体９の内部を斜め上方から見た様子を示している。また、図３及び図４では、第１ウイング部２０を固定手段として機能させた様子を示している。
【００４０】
第１ウイング部２０を固定手段として機能させる場合、図３及び図４に示すように、パッド本体部１０が止着部１０１を介して外装体９の股部９１に合わせられ、第１ウイング部２０が、折り目Ｌ１に沿ってパッド本体部１０のバックシート１２側へ折り返され、股部９１の外側に巻回される。そして、第１ウイング部２０の雄部材２０１がパッド本体部１０の雌部材２０２に係止される。
【００４１】
このように、第１ウイング部２０をパッド本体部１０の他方の側部に固定することによって、パッド本体部１０と第１ウイング部２０とが環状を形成する。このとき、パッド本体部１０と第１ウイング部２０との間において、股部９１が挟持されることとなる。これにより、パッド本体部１０を股部９１にしっかりと固定することができ、パッド本体部１０がずれたりして、液吸収性パッド１００が外装体９から外れることを効果的に抑制することができる。
【００４２】
また、図１及び図２に示すように、第１ウイング部２０の幅（詳細には、折り目Ｌ１から雄部材２０１までの幅方向に沿った距離ｄ２）は、パッド本体部１０の幅（詳細には、折り目Ｌ１から雌部材２０２までの幅方向に沿った距離ｄ１）よりも長くなっている。これによれば、雄部材２０１を雌部材２０２に係止させたときに、パッド本体部１０の形状が崩れることが抑制され、液吸収性パッド１００を外装体９に良好に装着することができる。
【００４３】
以上が、第１ウイング部２０を固定手段として機能させる場合の説明である。次に、第１ウイング部２０を吸収手段として機能させる場合について説明する。
【００４４】
図５は、第１ウイング部２０に補助吸収体１３ａが収納された液吸収性パッド１００を示す斜視図である。図５に示すように、第１ウイング部２０のシート２１には、長手方向に沿って設けられた切り込みによって、開口部ＯＰ１が形成されている。開口部ＯＰ１は、第１ウイング部２０の内部の空間Ｓ１と外部空間とを連通させるスリット状の孔となっている。
【００４５】
シート２１とトップシート１１とは、ともに液吸収性パッド１００の同一側の面を形成しているため、開口部ＯＰ１は、トップシート１１と同一側の面に形成されている。この開口部ＯＰ１を介して、シート２１及びシート２２で形成される空間Ｓ１に補助吸収体１３ａを挿入することが可能となっている。補助吸収体１３ａは、吸収体１３と略同様の構成を有しているが、その大きさは、吸収体１３よりも小さいものとなっている。第１ウイング部２０は、このような補助吸収体１３ａを内部に収納することが可能な収納空間形成体を構成している。
【００４６】
また、図５に示すように、補助吸収体１３ａの長手方向に沿った長さは、開口部ＯＰ１の切り込みの長さよりも長くなっている。これによれば、補助吸収体１３ａが開口部ＯＰ１から抜け落ちることを抑制することができる。
【００４７】
図６は、外装体９に装着された液吸収性パッド１００を示す全体斜視図である。また、図７は、図６に示すＶＩＩ−ＶＩＩ位置から見た液吸収性パッド１００及び外装体９の概略断面図である。なお、図６は、第１ウイング部２０に補助吸収体１３ａを収納する液吸収性パッド１００が取り付けられた外装体９の内部を、斜め上方から見た様子を示している。
【００４８】
図６及び図７に示すように、第１ウイング部２０を吸収手段として機能させる場合には、補助吸収体１３ａが収納された第１ウイング部２０が、折り目Ｌ１に沿って、パッド本体部１０のトップシート１１側へ折り返される。そして第１ウイング部２０がパッド本体部１０のトップシート１１に重ねられた状態で、第１ウイング部２０の雄部材２０１がパッド本体部１０の裏側（バックシート１２側）に設けられた雌部材２０２に係止される。この場合、折り目Ｌ１から雄部材２０１までの幅方向に沿った長さを、折り目Ｌ１から雌部材２０２までの幅方向に沿った長さよりも長くすることで、パッド本体部１０の形状が崩れることを抑制することができる。これにより、パッド本体部１０を外装体９に良好に装着することができる。
【００４９】
また、図７に示すように、本実施形態では、開口部ＯＰ１を第１ウイング部２０のシート２１に設けているため、第１ウイング部２０がトップシート１１側に折り返された際に、開口部ＯＰ１がパッド本体部１０によって塞がれることとなる。これによれば、液吸収性パッド１００が外装体９に装着された際に、補助吸収体１３ａが開口部ＯＰ１を介して脱落することを効果的に抑制することができる。
【００５０】
また、パッド本体部１０に内蔵された吸収体１３の長手方向に沿う部分の長さは、第１ウイング部２０の長手方向に沿う部分の長さよりも長くなっている。これによれば、吸収体１３が第１ウイング部２０からはみ出すため、第１ウイング部２０の補助吸収体１３ａで吸収しきれない体液を、パッド本体部１０の吸収体１３において吸収することが可能となる。
【００５１】
以上のように、第１ウイング部２０を補助的な吸収手段として使用する場合には、開口部ＯＰ１を介して補助吸収体１３ａを収納することができる。また、第１ウイング部２０を固定手段として機能させる場合には、開口部ＯＰ１を介して補助吸収体１３ａを抜き取ることもできる。このように、開口部ＯＰ１を設けることによって、第１ウイング部２０の使用用途に応じて、補助吸収体１３ａを第１ウイング部２０から出し入れ自在とすることができる。
【００５２】
｛第２実施形態｝
次に、第２実施形態に係る液吸収性パッド１００Ａについて説明する。図８は、第２実施形態に係る液吸収性パッド１００Ａを示す全体斜視図である。なお、本実施の形態の説明において、第１実施形態で説明した各構成と同様の機能を有する要素については、同一符号を付してその説明を省略する。
【００５３】
液吸収性パッド１００Ａには、パッド本体部１０Aの両側の側部のうち、第１ウイング部２０が設けられた部分とは反対側の側部から、幅方向に沿って外側へ延びる第２ウイング部がさらに形成されている。第２ウイング部３０は、長手方向において、第１ウイング部２０の位置に対応した位置に設けられている。
【００５４】
本実施形態に係るパッド本体部１０Ａは、パッド本体部１０と同様に、トップシート１１Ａとバックシート１２Ａとが互いにホットメルト等の接着剤を介して積層された積層体として構成されている。ただし、これらのトップシート１１Ａ及びバックシート１２Ａは、トップシート１１及びバックシート１２に第２ウイング部３０を形成する部分を付加した形状を有している。なお、第２ウイング部３０は、パッド本体部１０と一体的に構成されていてもよいが、別体として構成されていてもよい。
【００５５】
液吸収性パッド１００Ａでは、雌部材２０２が第２ウイング部３０のバックシート１２Ａに設けられている。また、パッド本体部１０Aに結合する第２ウイング部３０の付け根部分には、長手方向に沿って延びる折り目Ｌ２が設けられている。この折り目Ｌ２に沿って、第２ウイング部３０をパッド本体部１０のトップシート１１側及びバックシート１２側の双方に容易に折り曲げることができる。
【００５６】
図９及び図１０は、外装体９に装着された液吸収性パッド１００Ａを示す概略断面図である。なお、図９は、第１ウイング部２０を固定手段として使用する状態を示しており、図１０は、第１ウイング部２０を補助的な吸収手段として使用する状態を示している。
【００５７】
図９及び図１０に示すように、第１ウイング部２０の雄部材２０１を第２ウイング部３０の雌部材２０２に係止させることによって、第１ウイング部２０を固定手段または補助的な吸収手段として機能させることができる。特に、パッド本体部１０Ａの側端部から側方に延びる第２ウイング部３０を形成することによって、第１実施形態の場合に比べて、第１ウイング部２０の長さを短くすることができる。
【００５８】
また、図９に示すように、雄部材２０１及び雌部材２０２を係合させたときの、第１ウイング部２０及び第２ウイング部３０で形成される帯部分の回りの長さは、パッド本体部１０の幅方向の長さよりも長くなることが望ましい。これによれば、パッド本体部１０Aの形状が崩れることを抑制することができ、パッド本体部１０Aを外装体９に良好に装着することができる。なお、第２ウイング部３０の幅方向の長さは、特に限定されるものではないが、第１ウイング部２０の幅方向の長さよりも短くして、液吸収性パッド１００Ａが大きくなることを抑制することが望ましい。
【００５９】
また、図１０に示すように、補助吸収体１３ａが収納された第１ウイング部２０を、トップシート１１上に折り返して固定する場合、補助吸収体１３ａを使用者の股にフィットさせるためには、トップシート１１上において、雄部材２０１と雌部材２０２の係合部分を嵩張らせないことが望ましい。そのため、図８に示すように、第１ウイング部２０の幅（詳細には、第１ウイング部２０の付け根部分から雄部材２０１までの幅方向に沿った距離ｄ２Ａ）が、パッド本体部１０Ａの幅（詳細には、第１ウイング部２０の付け根部分から第２ウイング部３０の付け値部分までの幅方向に沿った距離ｄ１Ａ）よりも長いことが好ましい。これによれば、図１０に示すように、雄部材２０１と雌部材２０２とが、トップシート１１上の位置で係合することを抑制することができる。
【００６０】
以上のように、本実施形態の液吸収性パッド１００Aによれば、パッド本体部１０Aに第１ウイング部２０及び第２ウイング部３０を設けることによって、パッド本体部１０Aを外装体９の股部９１にしっかりと固定することが可能となる。また、第１ウイング部２０を補助的な吸収手段として機能させることもできる。
【００６１】
以上、実施形態について説明してきたが、本発明は上記のようなものに限定されるものではなく、様々な変形が可能であり、上記実施形態にて説明した各構成は、互いに矛盾の生じない限り、適宜組み合わせたり、または省略したりすることができる。
【符号の説明】
【００６２】
１００，１００Ａ  液吸収性パッド
１０，１０Ａ  パッド本体部
１１，１１Ａ  トップシート
１２，１２Ａ  バックシート
１３  吸収体
１３ａ  補助吸収体
２０  第１ウイング部
２０１  雄部材
２０２  雌部材（面ファスナ）
２１，２２  シート
３０  第２ウイング部
９  外装体
９１  股部
Ｌ１，Ｌ２  折り目
ＯＰ１  開口部
Ｓ１  空間
【図１】
0005547510.tif 000002
【図２】
0005547510.tif 000003
【図３】
0005547510.tif 000004
【図４】
0005547510.tif 000005
【図５】
0005547510.tif 000006
【図６】
0005547510.tif 000007
【図７】
0005547510.tif 000008
【図８】
0005547510.tif 000009
【図９】
0005547510.tif 000010
【図１０】
0005547510.tif 000011